(57)【要約】  本開示は、接着剤滴下装置に関し、当該接着剤滴下装置により、溢れ出た接着剤が接着剤滴下装置に接着することを回避するように実現することができる。当該接着剤滴下装置は、装置本体を備え、前記装置本体には、第一の物体の第一の接着面の位置を固定するための位置規制空間が設けられ、前記第一の接着面は、第一の物体における第二の物体の第二の接着面と相互に接着するための表面である。そのうち、前記位置規制空間の、前記第二の接着面に向かう開口周縁の上面及び前記開口周縁の内側壁に離型層が設けられる。上述の接着剤滴下装置は、溢れ出た接着剤と接着剤滴下装置との接触する位置に離型層が設けられるため、溢れ出た接着剤と接着剤滴下装置とを接着することを回避し、溢れ出た接着剤と接着剤滴下装置を容易に分離し、ユーザーの使用が便利になる。【選択図】図１
2017507022.tif 000002
【特許請求の範囲】
【請求項１】
第二の物体の第二の接着面と相互に接着するための表面である第一の物体の第一の接着面の位置を固定するための位置規制空間が設けられる装置本体を備える接着剤滴下装置であって、
前記位置規制空間の、前記第二の接着面に向かう開口周縁の上面及び前記開口周縁の内側壁に離型層が設けられることを特徴とする接着剤滴下装置。
【請求項２】
前記位置規制空間の前記開口が位置する平面が、前記第一の接着面及び前記第二の接着面と平行することを特徴とする請求項１に記載の接着剤滴下装置。
【請求項３】
前記位置規制空間の前記開口が位置する平面から予め設定された厚さの接着剤によって前記第一の接着面と接着する前記第二の接着面までの第一距離が、予め設定された値と等しいか又はそれより小さいことを特徴とする請求項２に記載の接着剤滴下装置。
【請求項４】
前記位置規制空間の前記開口が位置する平面が、第一の接着面より第二距離高く、
前記第二距離が、前記予め設定された厚さと第一距離との差と等しいことを特徴とする請求項３に記載の接着剤滴下装置。
【請求項５】
前記予め設定された値が、０.５ミリメートルと等しいか又はそれより小さいことを特徴とする請求項３又は４に記載の接着剤滴下装置。
【請求項６】
前記予め設定された値が、０.２ミリメートル、０.１５ミリメートル又は０.１ミリメートルであることを特徴とする請求項５に記載の接着剤滴下装置。
【請求項７】
前記離型層が、離型コーティング又は離型めっき層であることを特徴とする請求項１に記載の接着剤滴下装置。
【発明の詳細な説明】
【技術分野】
【０００１】
本出願は、出願番号が２０１４１０８３２１７２５で、出願日が２０１４年１２月２６日である中国特許出願に基づいて提出されるとともに、当該中国特許出願の優先権を主張するものであり、当該中国特許出願の内容全体は参照により本出願に組み込まれている。
【０００２】
本開示は、装置技術に関し、特に接着剤滴下装置に関する。
【背景技術】
【０００３】
現在では、二つの物体を接着する場合には、一般的には、接着剤滴下装置を用いて、前記二つの物体のいずれかの一方を位置決めして、接着剤を滴下することにより、他方の物体と当該物体とを接着する。接着剤を滴下する理想的な効果は整然ときれいに滴下することであるが、現在の接着剤滴下装置を用いて接着剤を滴下する場合には、接着剤は二つの物体の間から多く溢れ出て、溢れ出た接着剤が、制御されることができないとともに、接着剤滴下装置に接着する。
これによって、接着剤が接着剤滴下装置と接着し、それらを分離することが難しくなる。
【発明の概要】
【発明が解決しようとする課題】
【０００４】
関連技術における存在する問題を克服するために、本開示の実施例は、接着剤滴下装置を提供して、当該接着剤滴下装置により、溢れ出た接着剤が接着剤滴下装置に接着することを回避するように実現することができる。
【課題を解決するための手段】
【０００５】
本開示実施例の第１の側面によれば、第二の物体の第二の接着面と相互に接着するための表面である第一の物体の第一の接着面の位置を固定するための位置規制空間が設けられる装置本体を備える接着剤滴下装置であって、前記位置規制空間の、前記第二の接着面に向かう開口周縁の上面及び前記開口周縁の内側壁に離型層が設けられる接着剤滴下装置を提供する。
【０００６】
一実施例において、前記位置規制空間の前記開口が位置する平面は、前記第一の接着面及び前記第二の接着面と平行する。
【０００７】
一実施例において、前記位置規制空間の前記開口が位置する平面から予め設定された厚さの接着剤によって前記第一の接着面と接着する前記第二の接着面までの第一距離は、予め設定された値と等しいか又はそれより小さい。
【０００８】
一実施例において、前記位置規制空間の前記開口が位置する平面は、第一の接着面より第二距離高く、前記第二距離は、前記予め設定された厚さと第一距離との差と等しい。
【０００９】
一実施例において、前記予め設定された値は、０.５ミリメートルと等しいか又はそれより小さい。
【００１０】
一実施例において、前記予め設定された値は、０.２ミリメートル、０.１５ミリメートル又は０.１ミリメートルである。
【００１１】
一実施例において、前記離型層は、離型コーティング又は離型めっき層である。
【００１２】
本開示実施例が提供する技術案は、以下の有益な技術的効果をもたらす。
【００１３】
本開示が提供する接着剤滴下装置は、溢れ出た接着剤と接着剤滴下装置との接触する位置に離型層が設けられるため、溢れ出た接着剤と接着剤滴下装置とを接着することを回避し、溢れ出た接着剤と接着剤滴下装置を容易に分離し、ユーザーの使用が便利になる。
【００１４】
上述の全般的な説明と、以下に述べる詳細な説明は具体例であって、例示のみを目的としたものであり、本開示の限定を意図するものではないと理解されるべきである。
【図面の簡単な説明】
【００１５】
本明細書に組み込まれその一部を構成する添付の図面は、本開示に沿った実施例を例示しており、明細書とともに本開示の原理を説明するために用いられる。
【図１】図１は、本開示の例示的な実施例に係る接着剤滴下装置を示す構造図である。
【図２】図２は、本開示の例示的な実施例に係る接着剤滴下装置の効果を示す模式図である。
【図３】図３は、本開示の例示的な実施例に係る別の接着剤滴下装置の効果を示す模式図である。
【発明を実施するための形態】
【００１６】
ここで、本開示の例示的な実施例について、添付図面の例を参照して詳細に説明する。
以下の説明は、添付の図面を参照しており、別段の記載がない限り、異なる図面の同じ番号は、同じ又は同様の要素を示している。例示的な実施例の以下の説明で述べる実施形態は、本開示と一致する実施形態のすべてを示すものではない。代わり、それらは、添付特許請求の範囲に記載されるような本開示に関連の態様と一致する装置及び方法の単なる例にすぎない。
【００１７】
本開示実施例は接着剤滴下装置を提供し、図１に示すように、当該接着剤滴下装置は、装置本体１を備え、装置本体１には、第一の物体２の第一の接着面２０の位置を固定するための位置規制空間３が設けられ、第一の接着面２０は、第一の物体２における第二の物体４の第二の接着面４０と相互に接着するための表面である。
【００１８】
そのうち、位置規制空間３の、第二の接着面４０に向かう開口周縁の上面３１及び上述の開口周縁の内側壁３２に離型層５が設けられる。
【００１９】
一実施例において、離型層は離型コーティング又は離型めっき層であってもよい。そのうち、位置規制空間３の開口が位置する平面から予め設定された厚さの接着剤によって第一の接着面２０と接着する第二の接着面４０までの隙間は０．５ｍｍであり、当該隙間は０．２ｍｍ、０．１５ｍｍ或いは０．１ｍｍに縮小することができる。
【００２０】
離型層が利用されない場合には、装置と接着剤との接着を防止するように、当該隙間を大きく設ける必要がある。当該隙間を大きく設けると、接着剤が溢れ出て、不規則になる。装置には離型層が利用された後、当該隙間を小さく設けることができる。このように、装置を利用して溢れ出た接着剤を位置規制する効果を奏することができて、溢れ出た接着剤を均一にさせる。溢れ出た接着剤を被着体の周囲に均一に囲む必要であれば、このような装置を利用してもよい。
【００２１】
図２に示すように、上述の接着剤滴下装置の動作原理は、以下の通りである。
【００２２】
第一の物体２を位置規制空間３内に配置し、位置規制空間３の空間形状は第一の物体２に合わせる。従って、第一の物体２が動かないように制御して、第一の物体２の第一の接着面２０の位置を固定し、第一の物体２の第一の接着面２０上に接着剤６を被覆し、第二の物体４の第二の接着面４０で、接着剤６が被覆された第一の接着面２０を覆い、好適な押付けにより、第一の接着面２０と第二の接着面４０とを接着し、同時に、一部分の接着剤は上面３１及び内側壁３２に溢れ出る。上面３１及び内側壁３２には離型層が設けられるため、溢れ出た接着剤は、接着剤滴下装置と接着せず、溢れ出た接着剤と接着剤滴下装置とを容易に分離することができる。
【００２３】
以上からわかるように、本開示実施例が提供する接着剤滴下装置は、溢れ出た接着剤と接着剤滴下装置との接触する位置に離型層が設けられるため、溢れ出た接着剤と接着剤滴下装置とを接着することを回避し、溢れ出た接着剤と接着剤滴下装置とを容易に分離し、ユーザーの使用が便利になる。
【００２４】
一実施例において、図２に示すように、位置規制空間３の上述の開口が位置する平面３３は、第一の接着面２０及び第二の接着面４０と相互に平行してもよい。このように、両側から溢れ出た接着剤が相当し、且つ離型層が依然として溢れ出た接着剤と接着剤滴下装置とを接着することを回避することができる。また、ある応用の場合に対して、第一の接着面２０と第二の接着面４０とが非平行に接着する場合には、即ち、位置規制空間３の上述の開口が位置する平面３３は、第一の接着面２０と平行するが、第二の接着面４０と平行しない場合には、図３に示すように、上述の接着剤滴下装置は依然として両側から溢れ出た接着剤と接着剤滴下装置とを接着することを回避することができる。
【００２５】
一実施例において、位置規制空間３の上述の開口が位置する平面３３から予め設定された厚さＨの接着剤６によって第一の接着面２０と接着する第二の接着面４０までの第一距離Ｄ１は、予め設定された値と等しいか又はそれより小さい。そのうち、第一距離Ｄ１は、実際に溢れ出た接着剤の厚さである。即ち、溢れ出た接着剤の厚さを予め設定された値以内に制御する必要がある。予め設定された値は、実際の必要に応じて設けることができる。実際の操作する時に、予め設定された厚さ及び第一の物体の高さに応じて、接着剤滴下装置における位置規制空間の高さを設けることができる。溢れ出た接着剤の厚さが予め設定された値と等しいか又はそれより小さいようにさせて、溢れ出た接着剤の多すぎることによる見栄えが損なわれることを回避する。
【００２６】
一実施例において、図２に示すように、位置規制空間３の上述の開口が位置する平面は、第一の接着面２０より第二距離Ｄ２高く、当該第二距離Ｄ２は上述の予め設定された厚さＨと上述の第一距離Ｄ１との差と等しい。このように、一部の接着剤を位置規制空間内に収容させて、上述の溢れ出た接着剤の厚さが予め設定された値と等しいか又はそれより小さいことを容易に制御し、ユーザーの実行が便利になる。
【００２７】
一実施例において、上述の予め設定された値は、０.５ミリメートルと等しいか又はそれより小さい。例えば、予め設定された値は、０.２ミリメートル、０.１５ミリメートル或いは０.１ミリメートル等の０.２ミリメートル以内の値と等しい。このように、接着効果を確保するだけでなく、溢れ出た接着剤が少なくて、見栄えをより良くする。
【００２８】
本開示の他の実施形態は、本明細書の考え及びここに開示される開示を実施することにより当業者には容易に想到する。本発明は、本分野において公知の常識及び慣用する技術手段の範囲内とされる本開示の派生物を含め、本開示の一般原則に従うあらゆる変形、用途、応用を網羅することを意図している。本明細書及び実施例は、例示的なものとしてのみと見なされ、本開示の範囲及び精神は、以下の特許請求の範囲によって示されることが意図されている。
【００２９】
本開示は、上記説明及び添付の図面に示される正確な構成に限定されるものではなく、本開示の範囲を逸脱しない範囲で様々な補正及び変更が可能であることが理解されるべきである。本開示の範囲は、添付の特許請求の範囲のみに限定される。
【図１】
2017507022.tif 000003
【図２】
2017507022.tif 000004
【図３】
2017507022.tif 000005
【国際調査報告】
2017507022.tif 000006
2017507022.tif 000007
2017507022.tif 000008
2017507022.tif 000009